(57)【要約】【課題】  非破壊検査装置に対し、測定条件等の検査条件の入力を非接触で行うことができ、かつ、非破壊検査装置の検査条件の読み込み部における防水構造を不要にできる非破壊検査システムを提供すること。【解決手段】  非破壊検査システム１は、探傷マニュアル２に配されて測定条件等の検査情報が記録された情報媒体３と、発光部を有し、情報媒体３と対向した際に非接触で情報媒体３から検査情報を検出可能な光学的情報読取部（情報読取部）を有し、検査情報に基づき検査を行う携帯可能な非破壊検査装置７とを備えている。【選択図】  図１
2006234636.tif 000002
【特許請求の範囲】
【請求項１】
検査情報が記録された情報媒体と、
該情報媒体と対向した際に非接触で前記検査情報を検出可能な情報読取部を有し、前記検査情報に基づき検査を行う携帯可能な非破壊検査装置とを備えていることを特徴とする非破壊検査システム。
【請求項２】
前記情報読取部が、発光部を有する光学的情報読取部であって、
前記情報媒体が、前記発光部からの光に基づき前記検査情報を伝達する光学的情報読取媒体であることを特徴とする請求項１に記載の非破壊検査システム。
【請求項３】
前記情報読取部が、通信アンテナを備え、
前記情報媒体が、前記通信アンテナからの電波に基づき前記情報読取部との間で前記検査情報を送受信可能な非接触情報記憶媒体であることを特徴とする請求項１に記載の非破壊検査システム。
【請求項４】
前記非接触情報記憶媒体が、前記情報読取部との通信記録が入力可能であることを特徴とする請求項３に記載の非破壊検査システム。
【発明の詳細な説明】
【技術分野】
【０００１】
本発明は、非破壊検査システムに関する。
【背景技術】
【０００２】
非破壊検査装置としては、超音波や渦電流で傷を探る超音波探傷装置や渦流探傷装置がある。このうち、超音波を使用するものとしては、単一の超音波素子を備えたシングルプローブによる探傷や、複数の超音波素子を並べたフェイズドアレイプローブによる探傷がある。
【０００３】
測定に際しては、測定箇所に適応したプローブ選択や測定条件の設定を行う。例えば、深い探傷には周波数の低い（例えば、２ＭＨｚ）プローブを選択し、浅い探傷には周波数の高い（例えば、１５ＭＨｚ）プローブを選択する。また、測定条件には探傷すべき材料の音速値や探傷すべき深さ等の測定範囲等を設定する必要がある。例えば、アルミ材料を探傷する場合には、アルミ内部を走る超音波の音速値（約６３００ｍ／ｓ）を入力する。
このような探傷部分に適応したプローブ選定や、音速、測定範囲の設定値は、予め探傷マニュアルに記載されており、作業者が探傷時にマニュアルを見ながら探傷装置に設定の入力を行っている。
【０００４】
このような非破壊検査装置に対して、入力時間の短縮や入力ミスの発生を防ぐために、測定条件をＰＨＳ通信により非破壊検査装置に送信する外部発信装置をさらに備える非破壊検査システムが提案されている（例えば、特許文献１参照。）。また、外部発信装置の代わりに、測定条件が予め入力されている、例えば、コンパクトフラッシュ（登録商標）等の外部メモリを備えるものも知られている。
【０００５】
しかしながら、上記非破壊検査装置に上記外部メモリを装着して読み取る技術を適用する場合、非破壊検査装置を屋外使用に対応して一般に防水構造とする必要があるため、外部メモリとのコネクタ部分も防水構造としなければならず、コスト増や防水の信頼性の確保に問題がある。また、外部メモリの管理工数も必要となる。
さらに、上記特許文献１の技術の場合、場所によって送受信が不可能となる場合がある。
【特許文献１】特開２００２−２９６２５６号公報
【発明の開示】
【発明が解決しようとする課題】
【０００６】
本発明は上記事情に鑑みて成されたものであり、非破壊検査装置に対し、検査条件の入力を非接触で行うことができ、かつ、非破壊検査装置の検査条件の読み込み部における防水構造を不要にできる非破壊検査システムを提供することを目的とする。
【課題を解決するための手段】
【０００７】
本発明は、上記課題を解決するため、以下の手段を採用する。
本発明に係る非破壊検査システムは、検査情報が記録された情報媒体と、該情報媒体と対向した際に非接触で前記検査情報を検出可能な情報読取部を有し、前記検査情報に基づき検査を行う携帯可能な非破壊検査装置とを備えていることを特徴とする。
【０００８】
この非破壊検査システムは、検査情報を非破壊検査装置に入力する際、情報媒体と情報読取部とを対向させることによって、両者が非接触状態でも非破壊検査装置が直接情報媒体に記録された検査情報を読み取ることができる。
【０００９】
また、本発明に係る非破壊検査システムは、前記非破壊検査システムであって、前記情報読取部が、発光部を有する光学的情報読取部であって、前記情報媒体が、前記発光部からの光に基づき前記検査情報を伝達する光学的情報読取媒体であることを特徴とする。
【００１０】
この非破壊検査システムは、光学的情報読取媒体に光学的情報読取部の発光部から光が照射されることによって、光学的情報読取媒体から発せられた所定の情報を光学的情報読取部にて検出することができる。
【００１１】
また、本発明に係る非破壊検査システムは、前記非破壊検査システムであって、前記情報読取部が、通信アンテナを備え、前記情報媒体が、前記通信アンテナからの電波に基づき前記情報読取部との間で前記検査情報を送受信可能な非接触情報記憶媒体であることを特徴とする。
【００１２】
この非破壊検査システムは、予め所定の検査情報が記憶された非接触情報記憶媒体と情報読取部の通信アンテナとの間で所定の周波数で検査情報を送受信させることによって検査情報を読み取ることができる。
【００１３】
また、本発明に係る非破壊検査システムは、前記非破壊検査システムであって、前記非接触情報記憶媒体が、前記情報読取部との通信記録が入力可能であることを特徴とする。
この非破壊検査システムは、情報読取部との通信記録を非接触情報記憶媒体に入力させることによって、検査日付等を検査情報として新たに追加することができる。
【発明の効果】
【００１４】
本発明によれば、検査の都度、検査情報を人手で入力する手間を省くことができ、入力時間の短縮及び入力ミスを削減することができる。
【発明を実施するための最良の形態】
【００１５】
本発明に係る第１の実施形態について、図１から図４を参照して説明する。
本実施形態に係る非破壊検査システム１は、図１及び図２に示すように、探傷マニュアル２に配されて測定条件等の検査情報が記録された情報媒体３と、情報媒体３と対向した際に非接触で情報媒体３から検査情報を検出可能な光学的情報読取部（情報読取部）６を有し、検査情報に基づき検査を行う携帯可能な非破壊検査装置７とを備えている。
【００１６】
非破壊検査装置７は、マグネシウム合金からなる装置本体８を備えている。装置本体８は、図示しないＣＰＵや超音波信号の処理を行うプロセッサ、読み込んだ測定条件等を記憶するメモリ、これらを駆動するバッテリを内蔵するための前ハウジング８Ａと後ハウジング８Ｂとから構成されている。前ハウジング８Ａと後ハウジング８Ｂとは、図示しない防水パッキンを挟んで図示しないビスによって互いに締結されている。
【００１７】
装置本体８の外表面には、図３に示すように、図示しない超音波探傷用シングルプローブからの信号を入力するシングルプローブコネクタ１０と、図示しないフェイズドアレイプローブからの信号を入力するフェイズドアレイコネクタ１１と、図示しないリモートスイッチを接続するリモートコネクタ１２と、図示しないイヤホン等が接続されるアクセサリコネクタ１３と、測定条件を選択するためのダイアル１５と、測定条件や検査結果を表示する表示部１６と、測定条件の設定に使用する各種スイッチ１７とが配されている。
【００１８】
光学的情報読取部６は、図４に示すように、ブラケット１８及びネジ２０を介して後ハウジング８Ｂに固定されており、図示しないケーブルによってＣＰＵと接続された制御基板２１と電気的に接続されて、例えば、レーザ光を発する発光部２２を備えている。そして、発光部２２から発せられる光学ビーム２３によって信号処理が行われる。
この光学的情報読取部６は、ＣＰＵによって制御され、発光部２２から発せられる光学ビーム２３は、後ハウジング８Ｂに防水可能に配されて、ポリカーボネイト材による赤外線反射の透明窓２５を通して図中のＡ方向に走査される。
【００１９】
探傷マニュアル２には、例えば、測定物の音速や探傷深さ範囲、測定に用いるプローブ番号等の探傷作業の内容が記載されている。
情報媒体３は、例えば、光学ビーム２３にて走査した際の反射率の変化を光学的情報読取部６が読み取ることによって、探傷作業時の測定条件等の検査情報を光学的情報読取部６に伝達することができる光学的情報読取媒体２６とされている。
【００２０】
次に、本実施形態に係る非破壊検査システム１による検査方法及びその作用・効果について説明する。
まず、検査開始時に、探傷マニュアル２の光学的情報読取媒体２６を非破壊検査装置７の透明窓２５と対向する位置まで接近させる。
【００２１】
そして、光学的情報読取部６の発光部２２から光学ビーム２３を光学的情報読取媒体２６に照射して走査し、その反射光を光学的情報読取部６にて検出する。
検出した検査情報を図示しないＣＰＵに送信して処理し、非破壊検査装置７による測定条件に反映する。
こうして入力された測定条件に基づき、所定の探傷検査を行う。
【００２２】
この非破壊検査システム１によれば、検査情報を非破壊検査装置７に入力する際、光学的情報読取媒体２６と光学的情報読取部６とを対向させるだけで、両者が非接触状態でも非破壊検査装置７が直接光学的情報読取媒体２６に記録された検査情報を読み取ることができる。
【００２３】
この結果、検査の都度、検査情報を人手で入力する手間を省くことができ、入力時間の短縮及び入力ミスを削減することができる。
また、透明窓２５の防水構造のみ考慮すればよいので、装置本体８の防水構造を従来よりも簡略にすることができる。
【００２４】
次に、第２の実施形態について図５を参照しながら説明する。
なお、上述した第１の実施形態と同様の構成要素には同一符号を付すとともに説明を省略する。
第２の実施形態と第１の実施形態との異なる点は、本実施形態に係る非接触検査システム３０の非破壊検査装置３１における光学的情報読取部６が、装置本体３２から着脱可能とされているとした点である。
【００２５】
光学的情報読取部６は、制御基板２１とともに筐体３３内に配され、ケーブル３５を介してアクセサリコネクタ１３に着脱可能に接続される。
透明窓２５は、筐体３３に配されている。
【００２６】
次に、本実施形態に係る非破壊検査システム３０による検査方法及びその作用・効果について説明する。
まず、検査開始時に、光学的情報読取部６のケーブル３５をアクセサリコネクタ１３に接続する。この状態で探傷マニュアル２の光学的情報読取媒体２６と透明窓２５とを対向させる。
【００２７】
そして、上記第１の実施形態と同様に光学的情報読取部６から光学ビーム２３を照射及び走査して光学的情報読取媒体２６から情報を読み込む。
その後は装置本体３２のアクセサリコネクタ１３からケーブル３５を取り外し、入力された測定条件に基づいて所定の探傷検査を行う。
【００２８】
この非破壊検査システム３０によれば、上記第１の実施形態と同様の作用・効果を奏することができる。この際、光学的情報読取部６が装置本体３２に対して着脱可能とされているので、実際に探傷する際には光学的情報読取部６を装置本体３２から取り外すことによってコンパクトな大きさでの探傷を可能にし、非破壊検査装置３１全体の大きさをより小さくすることができ、軽量化を図ることができる。
【００２９】
次に、第３の実施形態について図６を参照しながら説明する。
なお、上述した他の実施形態と同様の構成要素には同一符号を付すとともに説明を省略する。
第３の実施形態と第１の実施形態との異なる点は、本実施形態に係る非接触検査システム４０の非破壊検査装置４１において、第１の実施形態に係る光学的情報読取部６の代わりに、情報読取部４２が通信アンテナ４３を備え、探傷マニュアル４５には、通信アンテナ４３からの電波に基づき情報読取部４２との間で検査情報を送受信可能なＲＦＩＤタグ（情報媒体、非接触情報記憶媒体）４６が配されているとした点である。
【００３０】
装置本体４７は、ポリカーボネイト材とされ、情報読取部４２が後ハウジング４７Ｂの側面内側に配されている。
ＲＦＩＤタグ４６にも図示しないアンテナが配されており、情報読取部４２を接近させるだけで所定の周波数にて情報伝達が行われて検査情報を読み取り可能とされている。
【００３１】
次に、本実施形態に係る非破壊検査システム４０による検査方法及びその作用・効果について説明する。
まず、検査開始時に、探傷マニュアル４５のＲＦＩＤタグ４６と透明窓２５とを対向させる。
この際、情報読取部４２とＲＦＩＤタグ４６との間で送受信が行われ、ＲＦＩＤタグ４６から情報を読み込む。
その後は入力された測定条件に基づいて所定の探傷検査を行う。
【００３２】
この非破壊検査システム４０によれば、上記他の実施形態と同様に、情報読取部４２とＲＦＩＤタグ４６とを対向して接近させることによって、測定条件等の検査情報を非破壊検査装置４１側に入力することができる。
【００３３】
なお、本発明の技術範囲は上記実施の形態に限定されるものではなく、本発明の趣旨を逸脱しない範囲において種々の変更を加えることが可能である。
例えば、上記第３の実施形態において、ＲＦＩＤタグ４６が、例えば、測定実施日等の情報読取部４２との通信記録をも検査情報として入出力可能とされているものとしても構わない。
この場合、ＲＦＩＤタグ４６に測定履歴等の記録をさせ、作業記録を充実させることができる。
【図面の簡単な説明】
【００３４】
【図１】本発明の第１の実施形態に係る非破壊検査システムの要部を示す概要図である。
【図２】本発明の第１の実施形態に係る非破壊検査システムを示す機能ブロック図である。
【図３】本発明の第１の実施形態に係る非破壊検査システムの非破壊検査装置を示す斜視図である。
【図４】本発明の第１の実施形態に係る非破壊検査システムの非破壊検査装置における光学的情報読取部の概要を示す説明図である。
【図５】本発明の第２の実施形態に係る非破壊検査システムの要部を示す概要図である。
【図６】本発明の第３の実施形態に係る非破壊検査システムの要部を示す概要図である。
【符号の説明】
【００３５】
１、３０、４０  非破壊検査システム
２、４５  探傷マニュアル
３  情報媒体
６  光学的情報読取部（情報読取部）
７、３１、４１  非破壊検査装置
２２  発光部
２６  光学的情報読取媒体
４２  情報読取部
４３  通信アンテナ
４６  ＲＦＩＤタグ（非接触情報記憶媒体、情報媒体）
【図１】
2006234636.tif 000003
【図２】
2006234636.tif 000004
【図３】
2006234636.tif 000005
【図４】
2006234636.tif 000006
【図５】
2006234636.tif 000007
【図６】
2006234636.tif 000008